(57)【要約】【課題】より効率的に蓄電池の運用を行うこと。【解決手段】蓄電池に関する情報及び蓄電池の運用方法の評価指標を記憶する設定値記憶部と、蓄電池の蓄電容量の劣化に関する情報を記憶する劣化特性記憶部と、を備えるコンピュータが、設定値記憶部及び劣化特性記憶部から情報を読み出して、評価指標に基づいて、劣化に関する情報にしたがって蓄電池が劣化した場合における評価指標値を算出し、演算結果に基づいて蓄電池の運用方法を選択する。【選択図】図１
2013051839.tif 000002
【特許請求の範囲】
【請求項１】
蓄電池の運用方法を選択する運用方法選択装置であって、
前記蓄電池に関する情報及び前記蓄電池の運用方法の評価指標を記憶する設定値記憶部と、
前記蓄電池の蓄電容量の劣化に関する情報を記憶する劣化特性記憶部と、
前記設定値記憶部及び前記劣化特性記憶部から情報を読み出して、前記評価指標に基づいて、前記劣化に関する情報にしたがって前記蓄電池が劣化した場合における評価指標値を算出する演算部と、
前記演算部の演算結果に基づいて前記蓄電池の運用方法を選択する選択部と、
を備える運用方法選択装置。
【請求項２】
前記劣化特性記憶部は、前記運用方法の種別毎に前記劣化に関する情報を記憶しており、
前記演算部は、前記運用方法の種別毎に前記評価指標値を演算し、
前記選択部は、前記評価指標値に基づいて前記運用方法の種別の中から運用方法を選択する、
請求項１に記載の運用方法選択装置。
【請求項３】
請求項１又は２に記載の運用方法選択装置と、
前記選択部によって選択された運用方法にしたがって前記蓄電池を制御する制御部と、
を備える電池運用システム。
【請求項４】
蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータが、前記蓄電池の運用方法を選択する運用方法選択方法であって、
コンピュータが、前記設定値記憶部及び前記劣化特性記憶部から情報を読み出して、前記評価指標に基づいて、前記劣化に関する情報にしたがって前記蓄電池が劣化した場合における評価指標値を算出する演算ステップと、
コンピュータが、前記演算ステップの演算結果に基づいて前記蓄電池の運用方法を選択する選択ステップと、
を有する運用方法選択方法。
【請求項５】
蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータが、前記蓄電池の運用方法を選択する運用方法選択方法であって、
コンピュータが、前記設定値記憶部及び前記劣化特性記憶部から情報を読み出して、前記評価指標に基づいて、前記劣化に関する情報にしたがって前記蓄電池が劣化した場合における評価指標値を算出する演算ステップと、
コンピュータが、前記演算ステップの演算結果に基づいて前記蓄電池の運用方法を選択する選択ステップと、
コンピュータが、前記選択ステップによって選択された運用方法にしたがって前記蓄電池を制御する制御ステップと、
を有する電池運用方法。
【請求項６】
蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータに対して、
前記設定値記憶部及び前記劣化特性記憶部から情報を読み出して、前記評価指標に基づいて、前記劣化に関する情報にしたがって前記蓄電池が劣化した場合における評価指標値を算出する演算ステップと、
前記演算ステップの演算結果に基づいて前記蓄電池の運用方法を選択する選択ステップと、
を前記コンピュータに実行させるためのコンピュータプログラム。
【請求項７】
前記選択ステップによって選択された運用方法にしたがって前記蓄電池を制御する制御ステップをさらに前記コンピュータに実行させるための、請求項６に記載のコンピュータプログラム。
【発明の詳細な説明】
【技術分野】
【０００１】
本発明は、蓄電池の充電や放電などの運用を行うための技術に関する。
【背景技術】
【０００２】
自然エネルギーを用いた創エネルギーおよび節電による省エネルギーへの関心・必要性が高まっている。その一方で、蓄電池を用いた負荷平準化への期待も高まっている。ただし、蓄電池は依然高価であり、コストダウンが開発課題となっている。また充放電サイクルにより充放電できる容量が劣化することも大きな開発課題となっている。そのため、蓄電池の容量が劣化する特性（劣化特性）を考慮した蓄電池の運用についての研究が行われている。
【０００３】
一般的に、充電終止電圧を高くして充電率を高くすると、蓄電池の劣化が促進されて寿命が短くなってしまう。例えば、ＳＯＣ（State Of Charge）の上限を１００％として運用すると、蓄電池の劣化が促進されてしまう。また、ＳＯＣの下限を０％として運用しても劣化が促進されてしまう。そのため、推奨的な運用として、ＳＯＣの範囲を１０〜９０％や２０〜８０％として蓄電池の劣化を抑えることが行われている。蓄電池の劣化特性を考慮した運用技術の具体例としては、特許文献１に開示された技術がある。
【先行技術文献】
【特許文献】
【０００４】
【特許文献１】特許第４０１９７３４号公報
【発明の概要】
【発明が解決しようとする課題】
【０００５】
しかしながら、蓄電池のＳＯＣの範囲をむやみに制限してしまうと、蓄電池の寿命は延びるものの、充放電できる電気容量が少なくなってしまうという問題があった。
上記事情に鑑み、本発明は、より効率的に蓄電池の運用を行うための技術を提供することを目的としている。
【課題を解決するための手段】
【０００６】
本発明の一態様は、蓄電池の運用方法を選択する運用方法選択装置であって、前記蓄電池に関する情報及び前記蓄電池の運用方法の評価指標を記憶する設定値記憶部と、前記蓄電池の蓄電容量の劣化に関する情報を記憶する劣化特性記憶部と、前記設定値記憶部及び前記劣化特性記憶部から情報を読み出して、前記評価指標に基づいて、前記劣化に関する情報にしたがって前記蓄電池が劣化した場合における評価指標値を算出する演算部と、前記演算部の演算結果に基づいて前記蓄電池の運用方法を選択する選択部と、を備える運用方法選択装置である。
【０００７】
本発明の一態様は、上記運用方法選択装置であって、前記劣化特性記憶部は、前記運用方法の種別毎に前記劣化に関する情報を記憶しており、前記演算部は、前記運用方法の種別毎に前記評価指標値を演算し、前記選択部は、前記評価指標値に基づいて前記運用方法の種別の中から運用方法を選択する。
【０００８】
本発明の一態様は、上記運用方法選択装置と、前記選択部によって選択された運用方法にしたがって前記蓄電池を制御する制御部と、を備える電池運用システムである。
【０００９】
本発明の一態様は、蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータが、前記蓄電池の運用方法を選択する運用方法選択方法であって、コンピュータが、前記設定値記憶部及び前記劣化特性記憶部から情報を読み出して、前記評価指標に基づいて、前記劣化に関する情報にしたがって前記蓄電池が劣化した場合における評価指標値を算出する演算ステップと、コンピュータが、前記演算ステップの演算結果に基づいて前記蓄電池の運用方法を選択する選択ステップと、を有する運用方法選択方法である。
【００１０】
本発明の一態様は、蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータが、前記蓄電池の運用方法を選択する運用方法選択方法であって、コンピュータが、前記設定値記憶部及び前記劣化特性記憶部から情報を読み出して、前記評価指標に基づいて、前記劣化に関する情報にしたがって前記蓄電池が劣化した場合における評価指標値を算出する演算ステップと、コンピュータが、前記演算ステップの演算結果に基づいて前記蓄電池の運用方法を選択する選択ステップと、コンピュータが、前記選択ステップによって選択された運用方法にしたがって前記蓄電池を制御する制御ステップと、を有する電池運用方法である。
【００１１】
本発明の一態様は、蓄電池に関する情報及び前記蓄電池の運用方法の評価指標を記憶する設定値記憶部と、前記蓄電池の蓄電容量の劣化に関する情報を記憶する劣化特性記憶部と、を備えるコンピュータに対して、前記設定値記憶部及び前記劣化特性記憶部から情報を読み出して、前記評価指標に基づいて、前記劣化に関する情報にしたがって前記蓄電池が劣化した場合における評価指標値を算出する演算ステップと、前記演算ステップの演算結果に基づいて前記蓄電池の運用方法を選択する選択ステップと、を前記コンピュータに実行させるためのコンピュータプログラムである。
【００１２】
本発明の一態様は、前記選択ステップによって選択された運用方法にしたがって前記蓄電池を制御する制御ステップをさらに前記コンピュータに実行させるための、請求項６に記載のコンピュータプログラムである。
【発明の効果】
【００１３】
本発明により、より効率的に蓄電池の運用を行うことが可能となる。
【図面の簡単な説明】
【００１４】
【図１】本発明の一実施形態である蓄電池システムのシステム構成を表すシステム構成図である。
【図２】劣化特性記憶部が記憶する劣化特性テーブルの具体例を示す図である。
【図３】電池運用装置の動作の流れの一例を示すフローチャートである。
【図４】蓄電池の使用予定期間を１０年とし、その期間における蓄電池の一回当たりに充放電可能な電力量を表す図である。
【図５】蓄電池の使用予定期間を１０年とし、その期間経過時点における蓄電池の積算放電量を表す図である。
【発明を実施するための形態】
【００１５】
図１は、本発明の一実施形態である蓄電池システム９００のシステム構成を表すシステム構成図である。蓄電池システム９００は、電池運用装置２００、蓄電池３００、商用系統電源６００、自家発電機７００を備える。電池運用装置２００は、蓄電池３００の運用方法を選択する。電池運用装置２００は、例えばＳＯＣの範囲を選択することによって運用方法を選択する。そして、電池運用装置２００は、選択した運用方法に従って蓄電池３００を運用する。
【００１６】
蓄電池３００は、充電することによって電気を蓄えて繰り返し電池として使用できる装置であり、電池運用装置２００によって充電及び放電を制御可能であればどのように構成されても良い。
商用系統電源６００は、商用系統から供給される電力を、電池運用装置２００を介して蓄電池３００及び負荷８００に供給する装置である。
【００１７】
自家発電機７００は、蓄電池システム９００のユーザが商用系統から電力を購入することなく電力を発生させるための装置である。例えば、自家発電機７００は、ＰＶ（Photovoltaic）発電（太陽光発電）機器や風力発電機器などの装置である。
負荷８００は、蓄電池システム９００のユーザが使用する電気製品であり、制御部２０１を介して蓄電池３００又は商用系統電源６００から供給される電力を消費することによって動作する装置である。負荷８００は、例えば照明器具、家電製品、コンピュータなどである。
【００１８】
次に、電池運用装置２００について詳細に説明する。電池運用装置２００は、メインフレームやワークステーションやパーソナルコンピュータやセットトップボックスなどの情報処理装置を用いて構成される。電池運用装置２００は、バスで接続されたＣＰＵ（Central Processing Unit）やメモリや補助記憶装置などを備え、電池運用プログラムを実行する。電池運用プログラムの実行によって、電池運用装置２００は、運用方法選択装置１００、制御部２０１を備える装置として機能する。なお、電池運用装置２００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。電池運用プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。電池運用プログラムは、電気通信回線を介して送信されても良い。
【００１９】
運用方法選択装置１００は、蓄電池３００の運用方法を選択する。例えば、運用方法選択装置１００は、ＳＯＣ使用範囲を選択する。
制御部２０１は、運用方法選択装置１００によって選択された運用方法及び設定値記憶部１０２に記憶されている全て又は一部の設定値に従って、蓄電池３００の充電を制御する。運用方法選択装置１００がＳＯＣ使用範囲を選択する場合には、制御部２０１は、選択されたＳＯＣ使用範囲で蓄電池３００を充電及び放電するように蓄電池３００を制御する。すなわち、制御部２０１は、選択されたＳＯＣ使用範囲にしたがって、蓄電池３００の充電を開始すべき蓄電容量と、蓄電池３００の充電を終了すべき蓄電容量とを判定し、充電及び放電を制御する。制御部２０１は、蓄電池３００を充電させる際には、商用系統電源６００又は自家発電機７００から供給される電力によって蓄電池３００を充電する。また、例えば設定値として一日に行われる充放電の回数がＮ回と設定されている場合には、制御部２０１は蓄電池３００の一日の充放電回数がＮ回となるように制御する。また、例えば設定値として一日の充電スケジュールが設定されている場合には、制御部２０１はこのスケジュールに従って蓄電池３００の充電を制御する。
【００２０】
また、制御部２０１は、蓄電池３００を放電させることによって負荷８００に対し電力を供給する。また、制御部２０１は、蓄電池３００から放電できない場合（蓄電池３００の蓄電容量がＳＯＣ使用範囲の最小値となっている場合など）には、商用系統電源６００から供給される電力を負荷８００に供給する。
【００２１】
運用方法選択装置１００は、メインフレームやワークステーションやパーソナルコンピュータやセットトップボックスなどの情報処理装置を用いて構成される。運用方法選択装置１００は、制御部２０１を実現するハードウェアとは異なるハードウェアによって構成されても良いし、全て又は一部が同一のハードウェアによって構成されても良い。
【００２２】
運用方法選択装置１００は、バスで接続されたＣＰＵやメモリや補助記憶装置などを備え、運用方法選択プログラムを実行する。運用方法選択プログラムの実行によって、運用方法選択装置１００は、入力部１０１、設定値記憶部１０２、劣化特性記憶部１０３、演算部１０４、選択部１０５を備える装置として機能する。なお、運用方法選択装置１００の各機能の全て又は一部は、ＡＳＩＣやＰＬＤやＦＰＧＡ等のハードウェアを用いて実現されても良い。運用方法選択プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。運用方法選択プログラムは、電気通信回線を介して送信されても良い。
【００２３】
入力部１０１は、キーボード、ポインティングデバイス（マウス、タブレット等）、ボタン、タッチパネル等の既存の入力装置を用いて構成される。入力部１０１は、設定値を運用方法選択装置１００に入力する際にユーザによって操作される。
設定値記憶部１０２は、半導体記憶装置や磁気ハードディスク装置などの記憶装置を用いて構成される。設定値記憶部１０２は、入力部１０１によって入力された設定値を記憶する。
【００２４】
設定値とは、運用方法選択装置１００が蓄電池３００の運用方法に関する評価指標値を演算するために必要となる情報である。設定値は、例えば蓄電池３００に関する情報や、蓄電池３００の使用に関する情報や、蓄電池３００の運用方法を評価する際の指標（評価指標）である。評価指標は、運用方法を選択する際に基準となる指標であり、例えば積算放電量、積算買電力量、エネルギー自給率、自家発電機有効利用率、積算光熱費、積算ＣＯ２排出量などである。
【００２５】
設定値の内容は評価指標に応じて変化する。例えば、評価指標が積算放電量である場合には、設定値は、蓄電池３００の初期最大蓄電容量、一日の充放電回数、蓄電池３００の使用予定期間、評価指標である。初期最大蓄電容量とは、蓄電池３００が劣化する前の状態における蓄電容量の最大値を表す。
【００２６】
劣化特性記憶部１０３は、半導体記憶装置や磁気ハードディスク装置などの記憶装置を用いて構成される。劣化特性記憶部１０３は、蓄電池３００の劣化特性に関する情報を記憶する。
【００２７】
図２は、劣化特性記憶部１０３が記憶する劣化特性テーブルの具体例を示す図である。劣化特性テーブルは、複数のレコード４００を有する。各レコード４００は、ＳＯＣ使用範囲の値と、容量劣化の度合いの値とを有する。
ＳＯＣ使用範囲の値は、蓄電池３００の充電を行う際の蓄電容量の最小値と最大値とを表す。例えば、ＳＯＣ使用範囲の値が１０〜９０％である場合には、蓄電池３００の蓄電容量がその時点における最大蓄電容量の１０％になったら充電を開始し、蓄電池３００の蓄電容量がその時点における最大蓄電容量の９０％になるまで充電を行う事を示す。なお、その時点における最大蓄電容量とは、蓄電池３００の使用開始から経過した期間に応じて初期最大蓄電容量から劣化した場合の最大蓄電容量を表す。この値は、初期最大蓄電容量と、経過した期間と、容量劣化の度合いとに基づいて算出される。
【００２８】
容量劣化の度合いは、蓄電池３００の蓄電容量の劣化の程度を表す値である。図２の例では、容量劣化の度合いの値は、１日１回の充放電を１年間繰り返した場合の蓄電池３００の最大蓄電容量の減少率を表す。例えば、容量劣化の度合いが４％／年である場合には、１日１回の充放電を繰り返した場合には１年後に最大蓄電容量が９６％になっている事を示す。
なお、図２に示される各値やレコード４００の数やレコード４００の項目は具体例にすぎない。したがって、劣化特性テーブルは、蓄電池３００の劣化特性を表す限りで他の構成となっても良い。
【００２９】
図１に戻って運用方法選択装置１００の説明を続ける。
演算部１０４は、設定値記憶部１０２に記憶される設定値及び劣化特性記憶部１０３に記憶される劣化特性に基づいて、複数のＳＯＣ使用範囲に関して、評価指標の優劣を表す値（以下、「評価指標値」という。）を演算する。例えば、演算部１０４は、劣化特性記憶部１０３に記憶される劣化特性テーブルのレコード４００のＳＯＣ使用範囲毎に、評価指標値を演算する。
選択部１０５は、演算部１０４の演算結果と、設定値記憶部１０２に記憶されている評価指標とに基づいて、評価指標値が最も優れているＳＯＣ使用範囲を選択する。
【００３０】
図３は、電池運用装置２００の動作の流れの一例を示すフローチャートである。まず、ユーザが入力部１０１を操作することによって設定値を電池運用装置２００に入力する（ステップＳ１０１）。設定値記憶部１０２は、入力された設定値を記憶する。演算部１０４は、劣化特性記憶部１０３からレコード４００を読み出し、読み出したレコードに記録されているＳＯＣ使用範囲及び容量劣化の度合いに関して、評価指標値を算出する（ステップＳ１０３）。このとき、演算部１０４は、設定値記憶部１０２に記憶されている設定値を読み出して演算に用いる。演算が終わると、演算部１０４は、劣化特性記憶部１０３に記憶されている全てのレコード４００について演算が終わったか否か判定する（ステップＳ１０４）。演算されていないレコード４００が残っている場合には（ステップＳ１０４−ＮＯ）、演算部１０４は、演算されていないレコード４００を読み出し（ステップＳ１０２）、読み出したレコード４００について演算を行う（ステップＳ１０３）。
【００３１】
全てのレコードについて演算が終わった場合（ステップＳ１０４−ＹＥＳ）、選択部１０５は演算結果に基づいて、評価指標値が最も優れているＳＯＣ使用範囲を選択する（ステップＳ１０５）。そして、制御部２０１は、選択部１０５によって選択されたＳＯＣ使用範囲で蓄電池３００の充放電の制御を開始する（ステップＳ１０６）。
【００３２】
図４は、蓄電池３００の使用予定期間を１０年とし、その期間における蓄電池３００の一回当たりに充放電可能な電力量（以下、「充放電量」という。）を表す図である。ＳＯＣ使用範囲を広く設定して（例えば１０〜９０％）蓄電池３００を運用し続けた場合は、ＳＯＣ使用範囲を狭く設定して運用し続けた場合に比べて容量劣化が顕著である。一方、ＳＯＣ使用範囲が狭ければ狭いほど、容量劣化は抑制される。そのため、当初はＳＯＣ使用範囲が１０〜９０％である場合が最も充放電量が多いものの、経過年数５年目を境にしてＳＯＣ使用範囲２０〜８０％の場合と充放電量が逆転する。さらに、ＳＯＣ使用範囲が１０〜９０％である場合は、経過年数８年目を境にしてＳＯＣ３０〜７０％の場合と充放電量が逆転する。このように、充放電量は、ＳＯＣ使用範囲及び経過年数（経過期間）と関連している。
【００３３】
図５は、蓄電池３００の使用予定期間を１０年とし、その期間経過時点における蓄電池３００の積算放電量を表す図である。図５における積算放電量は、使用予定期間の間、一日１回の充放電を繰り返した場合の充放電量の積算値である。図５の劣化なし（理想）と記載された側のグラフは、蓄電池３００の最大蓄電容量の劣化が無い場合の積算放電量を表す。この場合、蓄電池３００の最大蓄電容量は、経過期間にかかわらず初期最大蓄電容量のままである。当然のことながら、劣化がない場合はＳＯＣ使用範囲が広いものほど積算放電量が多い。
【００３４】
しかしながら、実際には上述したように蓄電池３００の最大蓄電容量には劣化特性に応じた劣化が生じるため、劣化に応じて積算放電量は変化する。図５の劣化あり（現実）と記載された側のグラフは、蓄電池３００の最大蓄電容量の劣化が生じる場合の積算放電量を表す。蓄電池３００の最大蓄電容量は経過期間に応じて減少するため、蓄電池３００の充放電量もそれに応じて減少する。そのため、使用予定期間が長ければ長いほど、ＳＯＣ使用範囲が広いものとＳＯＣ使用範囲が狭いものとの積算放電量の差が狭まり、場合によっては逆転する。図５の場合は、ＳＯＣ使用範囲１０〜９０％である場合は、ＳＯＣ使用範囲２０〜８０％の場合に比べて、積算放電量は僅かに少ない。
次に、評価指標毎に演算部１０４及び選択部１０５の処理について説明する。
【００３５】
［積算放電量］
まず、評価指標が積算放電量である場合の演算部１０４及び選択部１０５の処理について説明する。この場合、演算部１０４は、設定値及び劣化特性に基づいて使用予定期間経過時点での積算放電量をＳＯＣ使用範囲の種類毎に算出する。例えば、初期最大蓄電容量Ｍ、一日の充放電回数Ｎ、蓄電池３００の使用予定期間がＹ年であり、あるＳＯＣ使用範囲Ｌ％における容量劣化の度合いがＸ％／年である場合、積算放電量Ａ１は以下のような式１によって算出される。なお、Ｌの値は、ＳＯＣ使用範囲における最大値と最小値との差を表す。例えば、ＳＯＣ使用範囲が２０％〜８０％であれば、Ｌ＝８０−２０＝６０である。
【００３６】
【数１】
2013051839.tif 000003
【００３７】
選択部１０５は、各ＳＯＣ使用範囲における積算放電量Ａ１を比較し、積算放電量Ａ１の値が最も大きいＳＯＣ使用範囲を選択する。
【００３８】
［積算買電力量］
次に、評価指標が積算買電力量である場合の演算部１０４及び選択部１０５の処理について説明する。積算買電力量とは、蓄電池３００のユーザが商用系統から購入した電力量の積算値である。ユーザが商用系統から電力を購入する事象は、例えば以下のような状況で生じる。蓄電池３００のユーザが、電力の単価が安い時間帯に商用系統から電力を購入し蓄電池３００を充電する状況。蓄電池３００のユーザの消費電力量が、蓄電池３００により放電される電力量だけでは足りなくなった状況。
【００３９】
評価指標が積算買電力量である場合、評価指標以外の設定値として、例えば蓄電池３００の初期最大蓄電容量、一日の充電スケジュール、一日の自家発電量スケジュール、蓄電池３００の充電速度、蓄電池３００の使用予定期間、一日に必要となる消費電力量のスケジュール、などが入力される。一日の充電スケジュールとは、一日における充電のタイミングを表す。一日の自家発電量スケジュールとは、各時刻において自家発電機７００が発電する電力量を表す。蓄電池３００の充電速度とは、蓄電池３００が単位時間当たりに充電できる電力量を表す。一日に必要となる消費電力量のスケジュールは、各時刻における負荷８００の消費電力量を表す。
【００４０】
ある時刻において、蓄電池３００が放電できる電力量（放電電力量）よりも負荷８００の消費電力量が多い場合には、商用系統から電力を購入する必要が生じる。そのため、ある日の蓄電池３００の最大蓄電容量と、一日の充電スケジュールと、一日の自家発電量スケジュールと、蓄電池３００の充電速度と、一日に必要となる消費電力量のスケジュールと、に基づいて、その日の各時刻における放電電力量及び買電力量を算出する事ができる。このようにして購入された電力量と、蓄電池３００の充電に用いられた電力量との積算量が積算買電力量に相当する。なお、ある日の蓄電池３００の最大蓄電容量は、蓄電池３００の使用開始からその日までに経過した日数と劣化特性と初期最大蓄電容量と、に基づいて算出することができる。したがって、蓄電池３００の容量の劣化に伴い、最大蓄電容量は減少する。そのため、劣化に伴って買電力量が増大してしまう。
【００４１】
演算部１０４は、上述した算出方法により、設定値及び劣化特性に基づいて使用予定期間経過時点での積算買電力量をＳＯＣ使用範囲の種類毎に算出する。
選択部１０５は、各ＳＯＣ使用範囲における積算買電力量を比較し、積算買電力量の値が最も小さいＳＯＣ使用範囲を選択する。
【００４２】
［エネルギー自給率］
次に、評価指標がエネルギー自給率である場合の演算部１０４及び選択部１０５の処理について説明する。エネルギー自給率とは、自家発電機７００により自家発電された電力で、負荷８００の消費電力を賄った割合を表す。
【００４３】
評価指標がエネルギー自給率である場合、評価指標以外の設定値として、例えば蓄電池３００の初期最大蓄電容量、一日の充電スケジュール、一日の自家発電量スケジュール、蓄電池３００の充電速度、蓄電池３００の使用予定期間、一日に必要となる消費電力量のスケジュール、などが入力される。一日の充電スケジュールとは、一日における充電のタイミングを表す。一日の自家発電量スケジュールとは、各時刻において自家発電機７００が発電する電力量を表す。蓄電池３００の充電速度とは、蓄電池３００が単位時間当たりに充電できる電力量を表す。一日に必要となる消費電力量のスケジュールは、各時刻における負荷８００の消費電力量を表す。
【００４４】
ある時刻において、蓄電池３００が放電できる電力量（放電電力量）よりも負荷８００の消費電力量が多い場合には、商用系統から電力を購入する必要が生じる。そのため、ある日の蓄電池３００の最大蓄電容量と、一日の充電スケジュールと、一日の自家発電量スケジュールと、蓄電池３００の充電速度と、一日に必要となる消費電力量のスケジュールと、に基づいて、その日の各時刻における放電電力量及び買電力量を算出する事ができる。このようにして購入された電力量を、蓄電池３００の使用予定期間にわたって積算した値が、積算買電力量である。一方で、一日に必要となる消費電力量のスケジュールに基づいて、蓄電池３００の使用予定期間にわたって消費される電力量を積算した値が積算消費電力量である。そして、以下の式に基づいてエネルギー自給率（単位：％）を算出することができる。
エネルギー自給率＝（積算消費電力量−積算買電力量）／積算消費電力量×１００
【００４５】
なお、ある日の蓄電池３００の最大蓄電容量は、蓄電池３００の使用開始からその日までに経過した日数と劣化特性と初期最大蓄電容量と、に基づいて算出することができる。
演算部１０４は、上述した算出方法により、設定値及び劣化特性に基づいて使用予定期間経過時点でのエネルギー自給率をＳＯＣ使用範囲の種類毎に算出する。
選択部１０５は、各ＳＯＣ使用範囲におけるエネルギー自給率を比較し、エネルギー自給率の値が最も高いＳＯＣ使用範囲を選択する。
【００４６】
［自家発電機有効利用率］
次に、評価指標が自家発電機有効利用率である場合の演算部１０４及び選択部１０５の処理について説明する。自家発電機有効利用率とは、蓄電池３００のユーザが、自家発電機７００によって発電された電力を有効に活用した割合を表す値である。
【００４７】
評価指標が自家発電機有効利用率である場合、評価指標以外の設定値として、例えば蓄電池３００の初期最大蓄電容量、一日の充電スケジュール、一日の自家発電量スケジュール、蓄電池３００の充電速度、蓄電池３００の使用予定期間、一日に必要となる消費電力量のスケジュールなどが入力される。一日の充電スケジュールとは、一日における充電のタイミングを表す。一日の自家発電量スケジュールとは、各時刻において自家発電機７００が発電する電力量を表す。蓄電池３００の充電速度とは、蓄電池３００が単位時間当たりに充電できる電力量を表す。一日に必要となる消費電力量のスケジュールは、各時刻における負荷８００の消費電力量を表す。
【００４８】
ある時刻において、蓄電池３００の蓄電容量が最大である場合（ＳＯＣ使用範囲の最大である場合）には、蓄電池３００はそれ以上充電することはできない。したがって、自家発電機７００によって発電された電力は破棄されてしまう。そのため、ある日の蓄電池３００の最大蓄電容量と、一日の充電スケジュールと、一日の自家発電量スケジュールと、蓄電池３００の充電速度と、一日に必要となる消費電力のスケジュールとに基づいて、その日の各時刻における破棄電力量を算出する事ができる。このように算出される破棄電力量を、蓄電池３００の使用予定期間にわたって積算した値が、積算破棄電力量である。また、一日の自家発電量スケジュールに基づいて、その日の総発電量を算出する事ができる。このように算出される総発電量を、蓄電池３００の使用予定期間にわたって積算した値が、積算自家発電電力量である。そして、以下の式に基づいて自家発電機有効利用率（単位：％）を算出することができる。
自家発電機有効利用率＝
（積算自家発電電力量−積算破棄電力量）／積算自家発電電力量×１００
【００４９】
なお、ある日の蓄電池３００の最大蓄電容量は、蓄電池３００の使用開始からその日までに経過した日数と劣化特性と初期最大蓄電容量と、に基づいて算出することができる。
演算部１０４は、上述した算出方法により、設定値及び劣化特性に基づいて使用予定期間経過時点での自家発電機有効利用率をＳＯＣ使用範囲の種類毎に算出する。
選択部１０５は、各ＳＯＣ使用範囲における自家発電機有効利用率を比較し、自家発電機有効利用率の値が最も高いＳＯＣ使用範囲を選択する。
【００５０】
［積算光熱費］
次に、評価指標が積算光熱費である場合の演算部１０４及び選択部１０５の処理について説明する。積算光熱費とは、蓄電池３００のユーザが商用系統から電力を購入する際に要する費用の積算値である。
【００５１】
評価指標が積算光熱費である場合、評価指標以外の設定値として、例えば蓄電池３００の初期最大蓄電容量、一日の充電スケジュール、一日の自家発電量スケジュール、蓄電池３００の充電速度、蓄電池３００の使用予定期間、一日に必要となる消費電力量のスケジュール、一日の各時刻における商用系統の電力の単価などが入力される。一日の充電スケジュールとは、一日における充電のタイミングを表す。一日の自家発電量スケジュールとは、各時刻において自家発電機７００が発電する電力量を表す。蓄電池３００の充電速度とは、蓄電池３００が単位時間当たりに充電できる電力量を表す。一日に必要となる消費電力量のスケジュールは、各時刻における負荷８００の消費電力量を表す。
【００５２】
ある時刻において、蓄電池３００が放電できる電力量（放電電力量）よりも負荷８００の消費電力量が多い場合には、商用系統から電力を購入する必要が生じる。そのため、ある日の蓄電池３００の最大蓄電容量と、一日の充電スケジュールと、一日の自家発電量スケジュールと、蓄電池３００の充電速度と、一日に必要となる消費電力量のスケジュールと、に基づいて、その日の各時刻における放電電力量及び買電力量を算出する事ができる。このようにして購入された電力量と、購入された時刻における単価とに基づいて、その日に商用系統から購入された電力の費用が算出される。このように算出される費用を、蓄電池３００の使用予定期間にわたって積算した値が、積算光熱費である。なお、ある日の蓄電池３００の最大蓄電容量は、蓄電池３００の使用開始からその日までに経過した日数と劣化特性と初期最大蓄電容量と、に基づいて算出することができる。また、商用系統から電力を購入する場合に月額の基本料金や所定の割引を受ける事ができる場合には、それらの値も演算に用いられても良い。
【００５３】
演算部１０４は、上述した算出方法により、設定値及び劣化特性に基づいて使用予定期間経過時点での積算光熱費をＳＯＣ使用範囲の種類毎に算出する。
選択部１０５は、各ＳＯＣ使用範囲における積算光熱費を比較し、積算光熱費の値が最も小さいＳＯＣ使用範囲を選択する。
【００５４】
［積算ＣＯ２排出量］
次に、評価指標が積算ＣＯ２排出量である場合の演算部１０４及び選択部１０５の処理について説明する。積算ＣＯ２排出量とは、蓄電池３００のユーザが商用系統から購入した電力を生成するのに生じたＣＯ２（二酸化炭素）の積算値である。ユーザが商用系統から電力を購入する事象は、例えば以下のような状況で生じる。蓄電池３００のユーザが、電力の単価が安い時間帯に商用系統から電力を購入し蓄電池３００を充電する状況。蓄電池３００のユーザの消費電力量が、蓄電池３００により放電される電力量だけでは足りなくなった状況。
【００５５】
評価指標が積算ＣＯ２排出量である場合、評価指標以外の設定値として、例えば蓄電池３００の初期最大蓄電容量、一日の充電スケジュール、一日の自家発電量スケジュール、蓄電池３００の充電速度、蓄電池３００の使用予定期間、一日に必要となる消費電力量のスケジュール、単位当たりの電力生成で生じるＣＯ２の量（例えば０．３９［kg-CO2/kWh］）などが入力される。一日の充電スケジュールとは、一日における充電のタイミングを表す。一日の自家発電量スケジュールとは、各時刻において自家発電機７００が発電する電力量を表す。蓄電池３００の充電速度とは、蓄電池３００が単位時間当たりに充電できる電力量を表す。一日に必要となる消費電力量のスケジュールは、各時刻における負荷８００の消費電力量を表す。
【００５６】
ある時刻において、蓄電池３００が放電できる電力量（放電電力量）よりも消費電力量が多い場合には、商用系統から電力を購入する必要が生じる。そのため、ある日の蓄電池３００の最大蓄電容量と、一日の充電スケジュールと、一日の自家発電量スケジュールと、蓄電池３００の充電速度と、一日に必要となる消費電力量のスケジュールと、に基づいて、その日の各時刻における放電電力量及び買電力量を算出する事ができる。このようにして購入された電力量と、蓄電池３００の充電に用いられた電力量との積算量が積算買電力量に相当する。そして、積算買電力量に対して、単位当たりの電力生成で生じるＣＯ２の量を乗じることによって、積算ＣＯ２排出量を算出することができる。なお、ある日の蓄電池３００の最大蓄電容量は、蓄電池３００の使用開始からその日までに経過した日数と劣化特性と初期最大蓄電容量と、に基づいて算出することができる。
【００５７】
演算部１０４は、上述した算出方法により、設定値及び劣化特性に基づいて使用予定期間経過時点での積算ＣＯ２排出量をＳＯＣ使用範囲の種類毎に算出する。
選択部１０５は、各ＳＯＣ使用範囲における積算ＣＯ２排出量を比較し、積算ＣＯ２排出量の値が最も少ないＳＯＣ使用範囲を選択する。
【００５８】
＜変形例＞
電池運用装置２００と運用方法選択装置１００とは異なる筐体のハードウェアとして構成されても良い。この場合、運用方法選択装置１００は、自身が選択された運用方法を有線又は無線の通信によって電池運用装置２００へ送信する。電池運用装置２００は、運用方法選択装置１００から運用方法を受信し、受信した運用方法に基づいて蓄電池３００を制御する。この場合は、本発明の一実施形態は、電池運用装置２００と運用方法選択装置１００とを合わせて電池運用システムとして構成される。なお、上述した電池運用装置２００は、筐体が同一であるか否かの違いのみであり、電池運用システムの一態様である。
【００５９】
入力部１０１は、設定値のみならず、劣化特性を運用方法選択装置１００に入力する際にユーザによって操作されても良い。この場合、入力部１０１の操作によって入力された劣化特性は、劣化特性記憶部１０３によって記憶される。
選択部１０５は、評価指標とは異なる条件に基づいて、評価指標値が最も優れているＳＯＣ使用範囲以外のＳＯＣ使用範囲を選択するように構成されても良い。
【００６０】
運用方法選択装置１００は、選択部１０５を備えない装置（評価指標値演算装置）として構成されても良い。評価指標値演算装置は、上述した入力部１０１、設定値記憶部１０２、劣化特性記憶部１０３、演算部１０４、出力部を備える。出力部は、演算部１０４による演算結果を出力する。出力部は、例えば他の情報処理装置に対して演算結果を送信する通信装置を用いて構成されても良い。出力部は、ＣＲＴ（Cathode Ray Tube）ディスプレイ、液晶ディスプレイ、有機ＥＬ（Electro Luminescence）ディスプレイ等の画像表示装置を用いて構成され、演算結果を表示しても良い。出力部は、演算結果を印字するプリンタとして構成されても良い。出力部は、演算結果を出力する事ができればどのような態様で構成されても良い。
【００６１】
設定値の内容は、上述したものに限定される必要は無く、他の値であっても良い。
上述した各評価指標における演算部１０４の演算処理は例であり、他の演算によって各評価指標値が演算されても良い。例えば、式１では、年ごとに劣化が生じるという前提で積算放電量Ａが算出されている。しかし、月毎、日毎、放電毎に劣化が生じるという前提でより細かな演算が行われても良い。
【００６２】
以上、この発明の実施形態について図面を参照して詳述してきたが、具体的な構成はこの実施形態に限られるものではなく、この発明の要旨を逸脱しない範囲の設計等も含まれる。
【符号の説明】
【００６３】
１００…運用方法選択装置，  ２００…電池運用装置，  １０１…入力部，  １０２…設定値記憶部，  １０３…劣化特性記憶部，  １０４…演算部，  １０５…選択部，  ２０１…制御部，  ３００…蓄電池，  ４００…レコード，  ６００…商用系統電源，  ７００…自家発電機，  ８００…負荷，  ９００…蓄電池システム
【図１】
2013051839.tif 000004
【図２】
2013051839.tif 000005
【図３】
2013051839.tif 000006
【図４】
2013051839.tif 000007
【図５】
2013051839.tif 000008